(57)【要約】【課題】ユーザに応じたコンテンツの出力ができるようにする。【解決手段】デジタルサイネージ装置１によれば、液晶表示部３１のタッチパネル３１３は、ユーザが所定の対象を入力するときのジェスチャーを検出し、制御部２３は、タッチパネル３１３により検出されたジェスチャーに基づいてコンテンツに使用する言語を決定し、決定した言語で画像形成部２７及び音声出力部３３からコンテンツを出力させる。【選択図】図４
2017054270.tif 000002
【特許請求の範囲】
【請求項１】
ジェスチャーを検出する検出手段と、
前記検出手段により検出されたジェスチャーに基づいてコンテンツに使用する言語を決定する決定手段と、
前記決定手段により決定された言語でコンテンツを出力する出力手段と、
を備えるコンテンツ出力装置。
【請求項２】
前記検出手段は、入力動作をジェスチャーとして検出する請求項１に記載のコンテンツ出力装置。
【請求項３】
複数の言語のコンテンツデータを記憶する記憶手段と、
ユーザに対し、前記複数の言語のそれぞれに対応する入力動作が互いに異なるジェスチャーとなる所定の対象の入力を促す情報を表示する表示手段と、を備え、
前記検出手段は、ユーザによる前記所定の対象の入力動作を検出する請求項２に記載のコンテンツ出力装置。
【請求項４】
前記表示手段は、前記所定の対象を数字、絵、又は文字により表示する請求項３に記載のコンテンツ出力装置。
【請求項５】
前記複数の言語のそれぞれに対応付けて前記所定の対象を入力するときのジェスチャーを示す情報を記憶するジェスチャー記憶手段を備え、
前記決定手段は、前記検出手段により検出されたジェスチャーを示す情報と、前記ジェスチャー記憶手段に記憶されているジェスチャーを示す情報とを照合し、照合結果に基づいて、前記コンテンツに使用する言語を決定する請求項３又は４に記載のコンテンツ出力装置。
【請求項６】
ジェスチャーを検出する工程と、
前記検出されたジェスチャーに基づいてコンテンツに使用する言語を決定する工程と、
前記決定された言語でコンテンツを出力する工程と、
を含むコンテンツ出力方法。
【請求項７】
コンピュータを、
ジェスチャーを検出する検出手段、
前記検出手段により検出されたジェスチャーに基づいてコンテンツに使用する言語を決定する決定手段、
前記決定手段により決定された言語で出力手段によりコンテンツを出力させる出力制御手段、
として機能させるためのプログラム。
【発明の詳細な説明】
【技術分野】
【０００１】
本発明は、コンテンツ出力装置、コンテンツ出力方法及びプログラムに関する。
【背景技術】
【０００２】
従来、コンテンツに登場する人物等の輪郭の形状に形成されたスクリーンにコンテンツを投影することにより、閲覧者に対して印象を高めることができる映像出力装置搭載機器が知られている（例えば、特許文献１参照）。
【先行技術文献】
【特許文献】
【０００３】
【特許文献１】特開２０１１−１５０２２１号公報
【発明の概要】
【発明が解決しようとする課題】
【０００４】
しかしながら、特許文献１に記載の映像出力装置搭載機器においては、一方的に映像コンテンツを出力するだけであり、ユーザがそのコンテンツの言語を理解できない外国人であった場合に対応することができなかった。
【０００５】
本発明の課題は、ユーザに応じたコンテンツの出力ができるようにすることである。
【課題を解決するための手段】
【０００６】
上記課題を解決するため、請求項１に記載の発明のコンテンツ出力装置は、
ジェスチャーを検出する検出手段と、
前記検出手段により検出されたジェスチャーに基づいてコンテンツに使用する言語を決定する決定手段と、
前記決定手段により決定された言語でコンテンツを出力する出力手段と、
を備える。
【発明の効果】
【０００７】
本発明によれば、ユーザに応じたコンテンツの出力が可能となる。
【図面の簡単な説明】
【０００８】
【図１】本実施形態におけるデジタルサイネージ装置の機能的構成を示すブロック図である。
【図２】図１のスクリーン部の概略構成を示す図である。
【図３】図１のジェスチャー記憶部のデータ格納例を示す図である。
【図４】図１の制御部により実行されるコンテンツ出力処理を示すフローチャートである。
【図５】（ａ）は、ユーザの使用している言語で所定の対象を表す言葉を文字入力するように促すメッセージを表示した液晶表示部の一例を示す図、（ｂ）は、ユーザが液晶表示部に所定の対象を表す言葉を文字入力した例を示す図である。
【発明を実施するための形態】
【０００９】
以下、添付図面を参照して本発明に係る好適な実施形態を詳細に説明する。以下の実施形態では、本発明に係るコンテンツ出力装置としてデジタルサイネージ装置１を適用した場合を例にとり説明する。なお、本発明は、図示例に限定されるものではない。
【００１０】
［デジタルサイネージ装置１の構成］
図１は、本実施形態におけるデジタルサイネージ装置１の主制御構成を示すブロック図である。図２は、スクリーン部２２の概略構成を示す正面図である。デジタルサイネージ装置１は、例えば、店舗等に設置され、商品を説明するコンテンツを出力する装置である。
【００１１】
図１に示すように、デジタルサイネージ装置１は、コンテンツの映像光を照射する投影部２１と、投影部２１から照射された映像光を背面で受けて前面に投影するスクリーン部２２とを備えている。
【００１２】
まず、投影部２１について説明する。
投影部２１は、制御部２３と、プロジェクタ２４と、記憶部２５と、通信部２６と、を備えている。プロジェクタ２４、記憶部２５、通信部２６は、図１に示すように制御部２３に接続されている。
【００１３】
制御部２３は、記憶部２５に記憶されている各種のプログラムを実行して所定の演算や各部の制御を行うＣＰＵ（Central Processing Unit）とプログラム実行時の作業領域となるメモリとを備えている（いずれも図示略）。制御部２３は、記憶部２５のプログラム記憶部２５１に記憶されているプログラムとの協働により、決定手段、出力制御手段として機能する。
【００１４】
プロジェクタ２４は、制御部２３から出力されたコンテンツの画像データを映像光に変換してスクリーン部２２に向けて照射する投影装置である。プロジェクタ２４は、例えば、アレイ状に配列された複数個（ＸＧＡの場合、横１０２４画素×縦７６８画素）の微小ミラーの各傾斜角度を個々に高速でオン／オフ動作して表示動作することでその反射光により光像を形成する表示素子であるＤＭＤ（デジタルマイクロミラーデバイス）を利用したＤＬＰ（Digital Light Processing）(登録商標)プロジェクタが適用可能である。
プロジェクタ２４は、画像形成部２７及び音声出力部３３とともに、出力手段を構成する。
【００１５】
記憶部２５は、ＨＤＤ（Hard Disk Drive）や不揮発性の半導体メモリ等により構成される。記憶部２５には、図１に示すように、プログラム記憶部２５１、コンテンツ記憶部２５２、ジェスチャー記憶部２５３が設けられている。
【００１６】
プログラム記憶部２５１には、制御部２３で実行されるシステムプログラムや各種処理プログラム、これらのプログラムの実行に必要なデータ等が記憶されている。
【００１７】
コンテンツ記憶部２５２には、複数の言語のコンテンツデータが記憶されている。コンテンツデータは、特に限定されないが、例えば、複数のフレーム画像により構成される動画データ及び各フレーム画像に対応する音声データ等により構成される。
【００１８】
ジェスチャー記憶部２５３には、コンテンツ記憶部２５２にコンテンツデータが記憶されている複数の言語のそれぞれに対応付けて、その言語で所定の対象（ここでは、数字の「２」）を表す言葉を文字入力するときのジェスチャーを示す情報が記憶されている。ここで、ジェスチャーとは、入力動作を指す。
図３に、ジェスチャー記憶部２５３のデータ格納例を示す。本実施形態では、図３に示すように、複数の言語のそれぞれで所定の対象を表す言葉を文字入力するときのジェスチャーを示す情報として、各言語で所定の対象を表す言葉を文字入力するときの書き順、又は所定の対象を表す言葉として入力される文字の形状等が記憶されている。
【００１９】
通信部２６は、モデム、ルータ、ネットワークカード等により構成され、外部機器との通信を行う。
【００２０】
次に、スクリーン部２２について説明する。
図２に示すように、スクリーン部２２には、画像形成部２７と、画像形成部２７を支持する台座２８とが備えられている。
【００２１】
画像形成部２７は、映像光の照射方向に対して略直交するように配置された、例えばアクリル板などの人型に成形された一枚の透光板２９に、フィルム状のフレネルレンズが積層された背面投影用のフィルムスクリーンが貼付されて構成されたスクリーンである。
【００２２】
台座２８には、人感センサ３０と、液晶表示部３１と、ボタン式の操作部３２と、音声を出力するスピーカなどの音声出力部３３とが設けられている。
人感センサ３０は、赤外線、超音波等によりデジタルサイネージ装置１の周囲の所定範囲における人の存在を検出して制御部２３に検出信号を出力する。
液晶表示部３１は、表示手段として機能するものである。また、液晶表示部３１は、その表面を覆うように透明電極を格子状に配置したタッチパネル３１３を有している。タッチパネル３１３は、検出手段として機能するもので、手指やタッチペン等で押下された位置を検出し、その位置情報を入力情報として制御部２３に出力する。  
人感センサ３０、液晶表示部３１、操作部３２、音声出力部３３は、図１に示すように制御部２３に接続されている。
【００２３】
［デジタルサイネージ装置１の動作］
次に、デジタルサイネージ装置１の動作について説明する。
【００２４】
図４に、デジタルサイネージ装置１において実行されるコンテンツ出力処理のフローチャートを示す。コンテンツ出力処理は、人感センサ３０で人が検出された場合に、制御部２３とプログラム記憶部２５１に記憶されているプログラムとの協働により実行される。
【００２５】
まず、制御部２３は、図５（ａ）に示すように、液晶表示部３１に、ユーザの使用している言語で所定の対象（ここでは、数字の「２」）を表す言葉を文字入力するように促すメッセージを表示させる（ステップＳ１）。
なお、本実施形態では、所定の対象を「２」として説明するが、所定の対象は、コンテンツ記憶部２５２にコンテンツデータが記憶されている複数の言語（即ち、デジタルサイネージ装置１で使用可能な複数の言語）でその対象を表す言葉の文字入力を行ったときにその入力動作が互いに異なるジェスチャーとなるものであれば、特に限定されない。例えば、「Good Morning!」等、どの言語を使用しているユーザにもわかるような挨拶等を文字表示して、ユーザの使用している言語でその文字（挨拶）に対応する言葉を文字入力するように促す表示を表示させてもよい。また、例えば、ネコの絵を表示して、ユーザの使用している言語でその絵（即ち、ネコ）に対応する言葉を文字入力するように促す表示を表示させてもよい。
また、プロジェクタ２４により画像形成部２７に、液晶表示部３１に所定の対象を表す言葉を文字入力するように促す表示を併せて表示させることとしてもよい。
【００２６】
ユーザは、ステップＳ１の表示に対し、図５（ｂ）に示すように、液晶表示部３１の画面上で所定の対象である「２」を表す言葉に対応する文字を入力する。なお、図５（ｂ）の例では、ｔｗｏの３文字を液晶表示部３１に並べて書き込む態様としているが、液晶表示部３１に一文字ずつ順次入力させる態様としてもよい。
【００２７】
次いで、制御部２３は、タッチパネル３１３によりジェスチャー（入力動作）が検出されるのを待機する（ステップＳ２；ＮＯ）。タッチパネル３１３によりジェスチャーが検出された場合（ステップＳ２；ＹＥＳ）、制御部２３は、タッチパネル３１３により検出されたジェスチャーを示す情報（例えば、入力された文字の書き順（又は入力された文字の形状））をメモリに記憶する（ステップＳ３）。制御部２３は、ジェスチャーが終了するまでステップＳ３の処理を繰り返し、ジェスチャーが終了したと判断した場合（ステップＳ４；ＹＥＳ）、ステップＳ５に移行する。ここで、制御部２３は、例えば、タッチパネル３１３から所定時間以上入力がない場合に、ジェスチャーが終了したと判断する。
【００２８】
ステップＳ５において、制御部２３は、検出されたジェスチャーに基づいて、コンテンツの出力に使用する言語を決定する（ステップＳ５）。具体的に、制御部２３は、メモリに記憶されている書き順（又は文字の形状）と、ジェスチャー記憶部２５３に記憶されている各言語の書き順（又は文字の形状）との照合を行い、照合結果に基づいてコンテンツに使用する言語を決定する。例えば、メモリに記憶されている書き順（又は文字の形状）と、ジェスチャー記憶部２５３に記憶されている各言語の書き順（又は文字の形状）とのパターンマッチングを行い、類似度が最も高い言語をコンテンツの出力に使用する言語として決定する。
【００２９】
そして、制御部２３は、決定した言語でコンテンツを出力する（ステップＳ６）。具体的に、制御部２３は、コンテンツ記憶部２５２から決定した言語に対応するコンテンツデータの画像データを読み出し、そのフレーム画像を順次プロジェクタ２４に出力してプロジェクタ２４により画像形成部２７に投影させる。また、決定した言語に対応するコンテンツの音声データを音声出力部３３に出力し、決定した言語でコンテンツの音声を出力させる。
ここで、ユーザは、コンテンツに使用する言語を切り替えたい場合、操作部３２の所定の操作により言語を切り替えることができる。
【００３０】
操作部３２により言語の切り替えが指示された場合（ステップＳ７；ＹＥＳ）、制御部２３は、操作部３２からの指示に基づいてコンテンツに使用する言語を切り替える（ステップＳ８）。
制御部２３は、人感センサ３０によりユーザが検出されている間、コンテンツの出力を続け、ユーザが検出されなくなった場合、出力中のコンテンツの出力が終了した時点でコンテンツ出力処理を終了する。
【００３１】
以上説明したように、デジタルサイネージ装置１によれば、液晶表示部３１のタッチパネル３１３は、ユーザが所定の対象を入力するときのジェスチャーを検出し、制御部２３は、タッチパネル３１３により検出されたジェスチャーに基づいてコンテンツに使用する言語を決定し、決定した言語で画像形成部２７及び音声出力部３３からコンテンツを出力させる。
具体的に、デジタルサイネージ装置１は、自装置で使用可能な複数の言語のそれぞれに対応付けて、その言語で所定の対象を入力するときのジェスチャーを示す情報をジェスチャー記憶部２５３に記憶しておき、制御部２３は、タッチパネル３１３により検出されたジェスチャーを示す情報と、ジェスチャー記憶部２５３に記憶されているジェスチャーを示す情報とを照合し、照合結果に基づいて、コンテンツに使用する言語を決定する。
【００３２】
従って、ユーザに応じた言語でコンテンツの出力を行うことが可能となる。
また、ユーザにとっては、コンテンツの言語を切り替える操作方法がわからなくても、所定の対象を表す言葉を入力するだけでコンテンツの言語を自分の使用している言語に切り替えることができるので、利便性が向上する。
【００３３】
なお、上記実施形態における記述内容は、本発明に係るデジタルサイネージ装置の好適な一例であり、これに限定されるものではない。
【００３４】
例えば、上記実施形態においては、ジェスチャーを文字の入力の動作として説明したが、絵（図形を含む）の入力動作としてもよい。例えば、ジェスチャー記憶部２５３において、コンテンツに使用可能な複数の言語のそれぞれに対し、その言語を使用している国の国旗の絵のパターンをジェスチャーを示す情報として対応付けて記憶しておく。そして、上記コンテンツ出力処理におけるステップＳ１でユーザの国の国旗の絵の入力を促す表示を行い、入力された国旗の絵とジェスチャー記憶部２５３に記憶されている国旗のパターンとのパターンマッチングによりコンテンツに使用する言語を決定することとしてもよい。
【００３５】
また、上記実施形態においては、本発明をプロジェクタからスクリーンに画像を投影することで画像の表示を行うデジタルサイネージ装置に適用した場合を例にとり説明したが、例えば、液晶ディスプレイ、プラズマディスプレイ等、他の表示装置を備えるコンテンツ出力装置に適用しても同様の効果を奏することができ、この例に限定されない。
また、上記実施形態においては、コンテンツを出力するための画像形成部２７とは別に、ジェスチャーを検出するためのタッチパネル３１３を備えた液晶表示部３１を設けることとしたが、コンテンツを出力するための画面にタッチパネルを備える構成としてもよい。
【００３６】
また、上記実施形態においては、人感センサ３０によりユーザを検出することとしたが、カメラ等により検出することとしてもよい。
【００３７】
その他、デジタルサイネージ装置を構成する各装置の細部構成及び細部動作に関しても、発明の趣旨を逸脱することのない範囲で適宜変更可能である。
【００３８】
本発明のいくつかの実施形態を説明したが、本発明の範囲は、上述の実施形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
［付記］
＜請求項１＞
ジェスチャーを検出する検出手段と、
前記検出手段により検出されたジェスチャーに基づいてコンテンツに使用する言語を決定する決定手段と、
前記決定手段により決定された言語でコンテンツを出力する出力手段と、
を備えるコンテンツ出力装置。
＜請求項２＞
前記検出手段は、入力動作をジェスチャーとして検出する請求項１に記載のコンテンツ出力装置。
＜請求項３＞
複数の言語のコンテンツデータを記憶する記憶手段と、
ユーザに対し、前記複数の言語のそれぞれに対応する入力動作が互いに異なるジェスチャーとなる所定の対象の入力を促す情報を表示する表示手段と、を備え、
前記検出手段は、ユーザによる前記所定の対象の入力動作を検出する請求項２に記載のコンテンツ出力装置。
＜請求項４＞
前記表示手段は、前記所定の対象を数字、絵、又は文字により表示する請求項３に記載のコンテンツ出力装置。
＜請求項５＞
前記複数の言語のそれぞれに対応付けて前記所定の対象を入力するときのジェスチャーを示す情報を記憶するジェスチャー記憶手段を備え、
前記決定手段は、前記検出手段により検出されたジェスチャーを示す情報と、前記ジェスチャー記憶手段に記憶されているジェスチャーを示す情報とを照合し、照合結果に基づいて、前記コンテンツに使用する言語を決定する請求項３又は４に記載のコンテンツ出力装置。
＜請求項６＞
ジェスチャーを検出する工程と、
前記検出されたジェスチャーに基づいてコンテンツに使用する言語を決定する工程と、
前記決定された言語でコンテンツを出力する工程と、
を含むコンテンツ出力方法。
＜請求項７＞
コンピュータを、
ジェスチャーを検出する検出手段、
前記検出手段により検出されたジェスチャーに基づいてコンテンツに使用する言語を決定する決定手段、
前記決定手段により決定された言語で出力手段によりコンテンツを出力させる出力制御手段、
として機能させるためのプログラム。
【符号の説明】
【００３９】
１  デジタルサイネージ装置
２１  投影部
２２  スクリーン部
２３  制御部
２４  プロジェクタ
２５  記憶部
２５１  プログラム記憶部
２５２  コンテンツ記憶部
２５３  ジェスチャー記憶部
２６  通信部
２７  画像形成部
２８  台座
２９  透光板
３０  人感センサ
３１  液晶表示部
３１３  タッチパネル
３２  操作部
３３  音声出力部
【図１】
2017054270.tif 000003
【図２】
2017054270.tif 000004
【図３】
2017054270.tif 000005
【図４】
2017054270.tif 000006
【図５】
2017054270.tif 000007